(57)【要約】  本発明はシールアセンブリである。シールアセンブリは、ポリフッ化ビニリデン（ＰＶＤＦ）基体に結合されると共に、プラスチックリテーナ要素に取り付けられたポリフッ化ビニル（ＰＶＦ）フィルムを含む。プラスチックリテーナ要素は、当該リテーナ要素に取付用孔を形成し、当該孔を通して締結具が座席の中に延びることにより、航空機乗客据付け器具に取り付けられる。シールは十分に柔軟であり、それにより航空機客室の内側側壁の中へ曲がることができると共に航空機客室据付け器具と内側側壁との間の空間をシールすることができる。【選択図】  図１
2016528096.tif 000002
【特許請求の範囲】
【請求項１】
ａ．航空機客室据付け器具に取り付けられるための複数の取付要素を有するリテーナと、
ｂ．前記リテーナに結合されると共に、柔軟性基体に結合された柔軟性フィルムを備える、細長いシールと
を備え、
ｃ．前記細長いシールは十分に柔軟であり、それにより航空機客室の内側側壁の中へ曲がることができると共に、前記航空機客室据付け器具と前記内側側壁との間の空間をシールすることができる、
航空機シールアセンブリ。
【請求項２】
前記リテーナはプラスチックから作製され、前記柔軟性フィルムはポリフッ化ビニリデン（ＰＶＤＦ）から作製され、前記柔軟性基体はポリフッ化ビニリデンから作製される、請求項１に記載の航空機シールアセンブリ。
【請求項３】
前記柔軟性フィルムはコンタクト型接着剤によって前記柔軟性基体に結合される、請求項１に記載の航空機シールアセンブリ。
【請求項４】
前記細長いシールはエポキシ結合剤によって前記リテーナに結合される、請求項１に記載の航空機シールアセンブリ。
【請求項５】
前記細長いシールは、前記内側側壁と接触していないときは概ね平坦な形状を備える、請求項１に記載の航空機シールアセンブリ。
【請求項６】
前記複数の取付要素は孔を備えており、当該孔を通して複数の締結具が前記航空機客室据付け器具の中に延びる、請求項１に記載の航空機シールアセンブリ。
【請求項７】
前記航空機客室据付け器具は、航空機乗客シェル、航空機乗客座席、航空機客室構造物、航空機客室パーテーション、航空機客室洗面所、および航空機客室収納部分からなる群から選択される、請求項６に記載の航空機シールアセンブリ。
【請求項８】
前記リテーナはプラスチックから作製されると共に、一対の重なり合う相互的なリテーナ要素をさらに備える、請求項１に記載の航空機シールアセンブリ。
【請求項９】
前記細長いシールは丸みを帯びたＶ字形状を有する、請求項８に記載の航空機シールアセンブリ。
【請求項１０】
前記一対の重なり合う相互的なリテーナ要素がエポキシ結合剤によって互いに結合され、前記細長いシールがエポキシ結合剤によって前記プラスチックリテーナに結合される、請求項８に記載の航空機シールアセンブリ。
【請求項１１】
前記航空機シールアセンブリは、その難燃特性および低発煙特性によって特徴づけられる、請求項１に記載の航空機シールアセンブリ。
【請求項１２】
ａ．航空機客室据付け器具に取り付けられるための複数の孔を有しており、当該複数の孔を通って複数の締結具が通過するプラスチックリテーナと、
ｂ．エポキシ結合剤によって前記プラスチックリテーナに結合されると共に、コンタクト型接着剤によってポリフッ化ビニリデン基体に結合されたポリフッ化ビニルフィルムを備える細長いシールと
を備え、
ｃ．前記細長いシールは、航空機客室の内側側壁と接触していないときは概ね平坦な形状を備え、かつ、十分に柔軟であり、それにより前記航空機客室の前記内側側壁の中へ曲がることができると共に、前記航空機客室据付け器具と前記内側側壁との間の空間をシールすることができる、
航空機シールアセンブリ。
【請求項１３】
前記ポリフッ化ビニリデンがポリフッ化ビニリデン（ＰＶＤＦ）である、請求項１２に記載の航空機シールアセンブリ。
【請求項１４】
前記航空機客室据付け器具は、航空機乗客シェル、航空機乗客座席、航空機客室構造物、航空機客室パーテーション、航空機客室洗面所、および航空機客室収納部分からなる群から選択される、請求項１３に記載の航空機シールアセンブリ。
【請求項１５】
前記航空機シールアセンブリは、その難燃特性および低発煙特性によって特徴づけられる、請求項１４に記載の航空機シールアセンブリ。
【請求項１６】
ａ．エポキシ結合剤によって互いに結合される一対の重なり合う相互的なリテーナ要素と、航空機客室据付け器具に取り付けられるための複数の孔と、を有しており、当該複数の孔を通って複数の締結具が通過するプラスチックリテーナと、
ｂ．丸みを帯びたＶ字形状を有しており、エポキシ結合剤によって前記丸みを帯びたＶ字形状の各終端において前記プラスチックリテーナに結合されており、コンタクト型接着剤によってポリフッ化ビニリデン基体に結合されたポリフッ化ビニルフィルムを備える、細長いシールと
を備え、
ｃ．前記細長いシールは十分に柔軟であり、それにより前記航空機客室の前記内側側壁の中へ曲がることができると共に、前記航空機客室据付け器具と前記内側側壁との間の空間をシールすることができる、
航空機シールアセンブリ。
【請求項１７】
前記ポリフッ化ビニリデンはポリフッ化ビニリデン（ＰＶＤＦ）である、請求項１６に記載の航空機シールアセンブリ。
【請求項１８】
前記航空機客室据付け器具は、航空機乗客シェル、航空機乗客座席、航空機客室構造物、航空機客室パーテーション、航空機客室洗面所、および航空機客室収納部分からなる群から選択される、請求項１７に記載の航空機シールアセンブリ。
【請求項１９】
前記航空機シールアセンブリは、その難燃特性および低発煙特性によって特徴づけられる、請求項１８に記載の航空機シールアセンブリ。
【請求項２０】
前記細長いシールは、連邦航空局（ＦＡＡ）の燃焼性規格をパスする、請求項１に記載の航空機シールアセンブリ。
【発明の詳細な説明】
【技術分野】
【０００１】
関連出願の相互参照
本特許出願は、２０１３年７月２６日に出願された整理番号６１／８５８，７７９号を有する同時係属の米国仮特許出願を参照することにより、明白に組み込み、およびそれに基づく優先権を主張する。
【背景技術】
【０００２】
本発明は、重さ、難燃性、および低発煙性が有利な製品特徴である、航空機での使用に特に適したシールアセンブリに関する。本出願の特定の開示において、例証を目的として、シールアセンブリは、航空機乗客座席と航空機側壁との間に位置付けられるように構成されたシールアセンブリに関連して示され記載される。しかしながら、例えば構造物（ｍｏｎｕｍｅｎｔ）シール、パーテーション、洗面所、および収納部分を含む他の使用が、本発明によって明白に企図される。
【０００３】
航空機乗客座席と航空機側壁との間の空間は、乗客によってこの空間に落とされたまたは意図的に置かれた配給物（ｓｅｒｖｉｃｅ  ｉｔｅｍｓ）などの小さな物体の通路として特に機能しやすい。これらの物体がこの限定された空間において航空機のデッキに落下すると、航空機乗務員による回収は困難であり且つ時間がかかる。加えて、多くの座席構成において、座席の下および横の電気配線、構成要素の箱、および他の座席構成要素は、この空間を介してアクセス可能である。乗客がこれらの構成要素に手を加えることを防止することが不可欠である。
【発明の概要】
【発明が解決しようとする課題】
【０００４】
従って、航空機据付け器具と構成要素との間の空間を閉鎖するように適合されたシールを提供することが本発明の目的である。
【０００５】
航空機乗客座席と航空機側壁などの他の表面との間の空間を閉鎖するように適合されたシールを提供することが本発明のさらなる目的である。
【０００６】
航空機で使用するために適合され、軽量、難燃および低発煙特性を有するシールを提供することが本発明のさらなる目的である。
【課題を解決するための手段】
【０００７】
本発明のこれらのおよび他の目的および利点は、航空機客室据付け器具に取り付けられるための複数の取付要素を含むプラスチックリテーナを有する航空機シールアセンブリを提供することによって達成される。細長いシールは、プラスチックリテーナに結合されると共に、ポリフッ化ビニリデン基体に結合されたポリフッ化ビニルフィルムを含む。細長いシールは十分に柔軟であり、それにより、航空機客室の内側側壁の中へ曲がることができると共に、航空機客室据付け器具と内側側壁との間の空間をシールすることができる。
【０００８】
本発明の実施形態によれば、ポリフッ化ビニリデンは、ポリフッ化ビニリデン（ＰＶＤＦ）であってもよい。
【０００９】
本発明の別の実施形態によれば、ポリフッ化ビニルフィルムは、コンタクト型接着剤によってポリフッ化ビニリデンに結合可能であってもよい。
【００１０】
本発明の別の実施形態によれば、細長いシールはエポキシ結合剤によってプラスチックリテーナに結合可能であってもよい。
【００１１】
本発明の別の実施形態によれば、細長いシールは、内側側壁と接触していないときは概ね平坦な形状を含んでいてもよい。
【００１２】
本発明の別の実施形態によれば、取付要素は、孔を含んでいてもよく、当該孔を通して締結具が航空機客室据付け器具の中に延びていてもよい。
【００１３】
本発明の別の実施形態によれば、航空機客室据付け器具は、航空機乗客シェル、航空機乗客座席、航空機客室構造物、航空機客室パーテーション、航空機客室洗面所、航空機客室収納部分、および航空機客室内壁に取り付け可能またはそれに隣接して配置可能な他の航空機客室構成要素を含んでいてもよい。
【００１４】
本発明の別の実施形態によれば、プラスチックリテーナは、一対の重なり合う相互的なリテーナ要素から作製されてもよい。そのような実施形態では、細長いシールは、丸みを帯びたＶ字形状を有してもよい。Ｖ字形の縁部はリテーナ要素に結合可能であり、丸みを帯びたＶ字形の丸みを帯びた部分は航空機客室内壁と接触してもよい。
【００１５】
本発明の別の実施形態によれば、一対の重なり合う相互的なリテーナ要素は、エポキシ結合剤によって互いに結合可能であってもよい。さらに、そのような実施形態によれば、細長いシールは、エポキシ結合剤によってプラスチックリテーナに結合可能であってもよい。
【００１６】
本発明の以下の詳細な記載が添付の図面を参照して読まれるとき、本発明は最もよく理解される。
【図面の簡単な説明】
【００１７】
【図１】航空機側壁の近くに位置付けられた航空機乗客座席の正面図である。
【図２】図１に示される航空機乗客座席の正面斜視図である。
【図３】図１に示される航空機乗客座席の側面斜視図である。
【図４】代替的なシールアセンブリ構造の斜視図である。
【図５】代替的なシールアセンブリ構造の垂直断面図である。
【図６】代替的なシールアセンブリ構造の側面図である。
【発明を実施するための形態】
【００１８】
ここで図１、２および３を特に参照すると、事業用航空機のビジネスクラス客室で典型的に見られるタイプの乗客用座席１０が示され、背もたれ１２と、ヘッドレスト１４と、座部１６と、レッグレスト１８と、アームレスト２０と、食事用トレイ２２とを含む。ビデオモニター、収納領域などの他の要素は、座席が使用されるサービスのレベルに応じて典型的に存在する。図１、２および３において、座席１０は座席シェル２４を含む。事実上すべての航空機客室において、いくつかの座席は航空機側壁３２に密接して位置付けられる。図１、２および３に示されるように、航空機は、リブ、ストリンガー、および他の構造部材とともに航空機に構造的一体性を提供する外側胴体３０を含む。航空機内側側壁３２は、胴体３０から内側に離間される。胴体３０と内側側壁３２の間の空間は、航空機の長さに沿って延びる多数のシステムおよび制御配線用ハーネスならびに他の構成要素を含有する。内側側壁３２の無孔構造により、乗客はこれらの構成要素にアクセスできない。しかしながら、図１、２および３に示されるように、空間３４が座席１０を内側側壁３２から分離する。シールされない限り、ごみ屑がこの領域に蓄積する可能性がある。加えて、この領域が乗客によるアクセスから遮断されない限り、乗客は、落ちた物を回収しようするときこの領域内に存在する座席構成要素を意図せずに損傷する恐れがある、または、この領域内の構成要素に意図的に手を加える恐れがある。
【００１９】
このため、図１、２および３のシールアセンブリ４０など、細長いシールアセンブリが座席１０の側部に沿って位置付けられる。シール４０は、図２に最もよく示されるように、内側側壁３２に隣接する座席１０の側部に沿って延在し、および図３に最もよく示されるように、座席の背もたれの周囲に延在し、そこでそれはプライバシーシェル（ｐｒｉｖａｃｙ  ｓｈｅｌｌ）２４と係合する。同じく図３に示されるように、シール４０はいくつかのセグメント４０Ａ、４０Ｂ、４０Ｃおよび４０Ｄを含み、それらは隣接表面との間のシールを行うように集合的に方向付けられる。
【００２０】
図１〜３のシール４０は、ＤｕＰｏｎｔ（商標）Ｔｅｄｌａｒ（登録商標）フィルム４２などのポリフッ化ビニル（ＰＶＦ）をコンタクト型接着剤を使用してポリフッ化ビニリデン（ＰＶＤＦ）基体４４に結合し、基体４４をエポキシ結合剤によってプラスチックリテーナ要素４６に結合することから作製される。シール４０は、孔などの取付要素をリテーナ要素４６に形成し、当該孔を通して締結具が座席１０の中に延びることによって座席１０に装着される。図３に最もよく示されるように、シール４０Ａ、４０Ｂ、４０Ｃおよび４０Ｄは、同じ方法で形成され、座席１０、内側側壁３２、および座席シェル２４の間の空間をシールするように必要に応じて位置付けられる。
【００２１】
ここで図４、５および６を参照すると、代替実施形態のシール５０は、ＤｕＰｏｎｔ（商標）Ｔｅｄｌａｒ（登録商標）フィルム５２などのポリフッ化ビニル（ＰＶＦ）をコンタクト型接着剤を使用してポリフッ化ビニリデン（ＰＶＤＦ）基体５４に結合し、基体５４をエポキシ結合剤によってプラスチックリテーナ要素５６、５８の対に結合することから作製される。図４に示されるように、リテーナ要素５６、５８は重ね合わせられ、同じようにエポキシ結合剤によって結合される。
【００２２】
シール５０は、取付用孔６０をリテーナ要素５６、５８に形成し、当該孔を通して締結具が座席１０の中に延びることによって座席１０に装着される。図１〜３と同様の方法でシール５０は形成され、座席１０、内側側壁３２、および座席シェル２４の間の空間をシールするように必要に応じて位置付けられる。シール５０は丸みを帯びたＶ字形を有し、Ｖの丸みを帯びた部分が側壁３２と接触する。図１〜３を図４〜６と比較することによって、シール４０は、側壁３２と接触するとき、本質的に図４〜６に示されるシールの上半分であることが分かる。
【００２３】
シール４０および５０は十分に柔軟であり、それにより内側側壁およびプライバシーシェルの中へ曲がること、およびそれらとの間のシールを行うことができる。Ｔｅｄｌａｒ（登録商標）ポリフッ化ビニル（ＰＶＦ）（登録商標）は、摩耗および汚染に曝される表面を保護する高品質な耐久性のある仕上げ材を提供する。ポリフッ化ビニリデン、またはポリフッ化ビニリデン（ＰＶＤＦ）は、フッ化ビニリデンの重合によって製造される高い非反応性と純度の熱可塑性フルオロポリマーである。ＰＶＤＦは、フルオロポリマー群の特殊なプラスチック材料である。ＰＶＤＦは、最高の純度、強度、および溶媒、酸、塩基および熱への耐性、ならびに火災時の低発煙性を必要とする用途で一般的に使用される。他のフルオロポリマーと比較して、それは、その比較的低い約１７７℃の融点のためにより溶融しやすいプロセスを有し、これにより、ＰＶＦフィルムを付着させる好適な基体となる。
【００２４】
本出願で開示されるシールは、ＦＡＡ規格を満たすのに必要な燃焼性要件をパスする能力により、従来技術のシールよりも優れている。加えて、シール構成は、シール４０および５０など２つの変形の間で必要に応じて変えることができ、また、シールの角度は調整可能である。
【００２５】
本発明によるシールアセンブリを特定の実施形態および例を参照して記載した。本発明の様々な細部は本発明の範囲から逸脱することなく変えることができる。さらに、本発明の好ましい実施形態および本発明を実行するための最良の形態に関する前述の記載は、単に例を目的として、および限定を目的とせずに提供され、従って本発明は請求項によって定義される。
【図１】
2016528096.tif 000003
【図２】
2016528096.tif 000004
【図３】
2016528096.tif 000005
【図４】
2016528096.tif 000006
【図５】
2016528096.tif 000007
【図６】
2016528096.tif 000008
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
ａ．航空機客室据付け器具に取り付けられるための複数の取付要素を有するリテーナと、
ｂ．前記リテーナに結合されると共に、柔軟性基体に結合された柔軟性フィルムを備える、細長いシールと
を備え、
ｃ．前記細長いシールは十分に柔軟であり、それにより航空機客室の内側側壁の中へ曲がることができると共に、前記航空機客室据付け器具と前記内側側壁との間の空間をシールすることができる、
航空機シールアセンブリ。
【請求項２】
前記リテーナはプラスチックから作製され、前記柔軟性フィルムはポリフッ化ビニリデン（ＰＶＤＦ）から作製され、前記柔軟性基体はポリフッ化ビニリデンから作製される、請求項１に記載の航空機シールアセンブリ。
【請求項３】
前記柔軟性フィルムはコンタクト型接着剤によって前記柔軟性基体に結合される、請求項１又は２に記載の航空機シールアセンブリ。
【請求項４】
前記細長いシールはエポキシ結合剤によって前記リテーナに結合される、請求項１〜３のいずれか一項に記載の航空機シールアセンブリ。
【請求項５】
前記細長いシールは、前記内側側壁と接触していないときは概ね平坦な形状を備える、請求項１〜４のいずれか一項に記載の航空機シールアセンブリ。
【請求項６】
前記複数の取付要素は孔を備えており、当該孔を通して複数の締結具が前記航空機客室据付け器具の中に延びる、請求項１〜５のいずれか一項に記載の航空機シールアセンブリ。
【請求項７】
前記リテーナはプラスチックから作製されると共に、一対の重なり合う相互的なリテーナ要素をさらに備える、請求項１〜６のいずれか一項に記載の航空機シールアセンブリ。
【請求項８】
前記細長いシールは丸みを帯びたＶ字形状を有する、請求項７に記載の航空機シールアセンブリ。
【請求項９】
前記一対の重なり合う相互的なリテーナ要素がエポキシ結合剤によって互いに結合され、前記細長いシールがエポキシ結合剤によって前記プラスチックリテーナに結合される、請求項７又は８に記載の航空機シールアセンブリ。
【請求項１０】
ａ．航空機客室据付け器具に取り付けられるための複数の孔を有しており、当該複数の孔を通って複数の締結具が通過するプラスチックリテーナと、
ｂ．エポキシ結合剤によって前記プラスチックリテーナに結合されると共に、コンタクト型接着剤によってポリフッ化ビニリデン基体に結合されたポリフッ化ビニルフィルムを備える細長いシールと
を備え、
ｃ．前記細長いシールは、航空機客室の内側側壁と接触していないときは概ね平坦な形状を備え、かつ、十分に柔軟であり、それにより前記航空機客室の前記内側側壁の中へ曲がることができると共に、前記航空機客室据付け器具と前記内側側壁との間の空間をシールすることができる、
航空機シールアセンブリ。
【請求項１１】
ａ．エポキシ結合剤によって互いに結合される一対の重なり合う相互的なリテーナ要素と、航空機客室据付け器具に取り付けられるための複数の孔と、を有しており、当該複数の孔を通って複数の締結具が通過するプラスチックリテーナと、
ｂ．丸みを帯びたＶ字形状を有しており、エポキシ結合剤によって前記丸みを帯びたＶ字形状の各終端において前記プラスチックリテーナに結合されており、コンタクト型接着剤によってポリフッ化ビニリデン基体に結合されたポリフッ化ビニルフィルムを備える、細長いシールと
を備え、
ｃ．前記細長いシールは十分に柔軟であり、それにより前記航空機客室の前記内側側壁の中へ曲がることができると共に、前記航空機客室据付け器具と前記内側側壁との間の空間をシールすることができる、
航空機シールアセンブリ。
【請求項１２】
前記ポリフッ化ビニリデンはポリフッ化ビニリデン（ＰＶＤＦ）である、請求項１０又は１１に記載の航空機シールアセンブリ。
【請求項１３】
前記航空機客室据付け器具は、航空機乗客シェル、航空機乗客座席、航空機客室構造物、航空機客室パーテーション、航空機客室洗面所、および航空機客室収納部分からなる群から選択される、請求項１〜１２のいずれか一項に記載の航空機シールアセンブリ。
【請求項１４】
前記航空機シールアセンブリは、その難燃特性および低発煙特性によって特徴づけられる、請求項１〜１３のいずれか一項に記載の航空機シールアセンブリ。
【請求項１５】
前記細長いシールは、連邦航空局（ＦＡＡ）の燃焼性規格をパスする、請求項１〜１４のいずれか一項に記載の航空機シールアセンブリ。
【手続補正３】
【補正対象書類名】明細書
【補正対象項目名】００２４
【補正方法】変更
【補正の内容】
【００２４】
本出願で開示されるシールは、ＦＡＡ規格を満たすのに必要な燃焼性要件をパスする能力により、従来技術のシールよりも優れている。加えて、シール構成は、シール４０および５０など２つの変形の間で必要に応じて変えることができ、また、シールの角度は調整可能である。
以下の項目は、国際出願時の特許請求の範囲に記載の要素である。
［項目１］
ａ．航空機客室据付け器具に取り付けられるための複数の取付要素を有するリテーナと、
ｂ．前記リテーナに結合されると共に、柔軟性基体に結合された柔軟性フィルムを備える、細長いシールと
を備え、
ｃ．前記細長いシールは十分に柔軟であり、それにより航空機客室の内側側壁の中へ曲がることができると共に、前記航空機客室据付け器具と前記内側側壁との間の空間をシールすることができる、
航空機シールアセンブリ。
［項目２］
前記リテーナはプラスチックから作製され、前記柔軟性フィルムはポリフッ化ビニリデン（ＰＶＤＦ）から作製され、前記柔軟性基体はポリフッ化ビニリデンから作製される、項目１に記載の航空機シールアセンブリ。
［項目３］
前記柔軟性フィルムはコンタクト型接着剤によって前記柔軟性基体に結合される、項目１に記載の航空機シールアセンブリ。
［項目４］
前記細長いシールはエポキシ結合剤によって前記リテーナに結合される、項目１に記載の航空機シールアセンブリ。
［項目５］
前記細長いシールは、前記内側側壁と接触していないときは概ね平坦な形状を備える、項目１に記載の航空機シールアセンブリ。
［項目６］
前記複数の取付要素は孔を備えており、当該孔を通して複数の締結具が前記航空機客室据付け器具の中に延びる、項目１に記載の航空機シールアセンブリ。
［項目７］
前記航空機客室据付け器具は、航空機乗客シェル、航空機乗客座席、航空機客室構造物、航空機客室パーテーション、航空機客室洗面所、および航空機客室収納部分からなる群から選択される、項目６に記載の航空機シールアセンブリ。
［項目８］
前記リテーナはプラスチックから作製されると共に、一対の重なり合う相互的なリテーナ要素をさらに備える、項目１に記載の航空機シールアセンブリ。
［項目９］
前記細長いシールは丸みを帯びたＶ字形状を有する、項目８に記載の航空機シールアセンブリ。
［項目１０］
前記一対の重なり合う相互的なリテーナ要素がエポキシ結合剤によって互いに結合され、前記細長いシールがエポキシ結合剤によって前記プラスチックリテーナに結合される、項目８に記載の航空機シールアセンブリ。
［項目１１］
前記航空機シールアセンブリは、その難燃特性および低発煙特性によって特徴づけられる、項目１に記載の航空機シールアセンブリ。
［項目１２］
ａ．航空機客室据付け器具に取り付けられるための複数の孔を有しており、当該複数の孔を通って複数の締結具が通過するプラスチックリテーナと、
ｂ．エポキシ結合剤によって前記プラスチックリテーナに結合されると共に、コンタクト型接着剤によってポリフッ化ビニリデン基体に結合されたポリフッ化ビニルフィルムを備える細長いシールと
を備え、
ｃ．前記細長いシールは、航空機客室の内側側壁と接触していないときは概ね平坦な形状を備え、かつ、十分に柔軟であり、それにより前記航空機客室の前記内側側壁の中へ曲がることができると共に、前記航空機客室据付け器具と前記内側側壁との間の空間をシールすることができる、
航空機シールアセンブリ。
［項目１３］
前記ポリフッ化ビニリデンがポリフッ化ビニリデン（ＰＶＤＦ）である、項目１２に記載の航空機シールアセンブリ。
［項目１４］
前記航空機客室据付け器具は、航空機乗客シェル、航空機乗客座席、航空機客室構造物、航空機客室パーテーション、航空機客室洗面所、および航空機客室収納部分からなる群から選択される、項目１３に記載の航空機シールアセンブリ。
［項目１５］
前記航空機シールアセンブリは、その難燃特性および低発煙特性によって特徴づけられる、項目１４に記載の航空機シールアセンブリ。
［項目１６］
ａ．エポキシ結合剤によって互いに結合される一対の重なり合う相互的なリテーナ要素と、航空機客室据付け器具に取り付けられるための複数の孔と、を有しており、当該複数の孔を通って複数の締結具が通過するプラスチックリテーナと、
ｂ．丸みを帯びたＶ字形状を有しており、エポキシ結合剤によって前記丸みを帯びたＶ字形状の各終端において前記プラスチックリテーナに結合されており、コンタクト型接着剤によってポリフッ化ビニリデン基体に結合されたポリフッ化ビニルフィルムを備える、細長いシールと
を備え、
ｃ．前記細長いシールは十分に柔軟であり、それにより前記航空機客室の前記内側側壁の中へ曲がることができると共に、前記航空機客室据付け器具と前記内側側壁との間の空間をシールすることができる、
航空機シールアセンブリ。
［項目１７］
前記ポリフッ化ビニリデンはポリフッ化ビニリデン（ＰＶＤＦ）である、項目１６に記載の航空機シールアセンブリ。
［項目１８］
前記航空機客室据付け器具は、航空機乗客シェル、航空機乗客座席、航空機客室構造物、航空機客室パーテーション、航空機客室洗面所、および航空機客室収納部分からなる群から選択される、項目１７に記載の航空機シールアセンブリ。
［項目１９］
前記航空機シールアセンブリは、その難燃特性および低発煙特性によって特徴づけられる、項目１８に記載の航空機シールアセンブリ。
［項目２０］
前記細長いシールは、連邦航空局（ＦＡＡ）の燃焼性規格をパスする、項目１に記載の航空機シールアセンブリ。
【国際調査報告】
2016528096.tif 000009
2016528096.tif 000010
2016528096.tif 000011